(57)【要約】【課題】電子機器の燃料電池に外気を供給する開口部を、使用者が手で塞ぐのを防止し、また開口部に埃が堆積するのを防止することができるようにする。【解決手段】スライドカバー９は、デジタルカメラ１の筐体２に対して、鏡筒１１と対向して、鏡筒１１を保護する第１の位置と、鏡筒１１を露出させる第２の位置との間でスライド自在とされる。グリップ部３の正面には電池室６内に配置された燃料電池に外気を供給する空気孔７が形成される。空気孔７は、スライドカバー９が開けられたとき、スライドカバー９に覆われ、使用者の指で塞がれるのを防止する。スライドカバー９と空気孔７との間には空気を供給する隙間が形成される。【選択図】      図１
2004214127.tif 000002
【特許請求の範囲】
【請求項１】
燃料電池を使用する電子機器であって、
前記燃料電池に供給する外気を取り込む開口部と、
前記開口部と対向する第１の位置と、前記開口部から離れる第２の位置との間で移動する移動部材と
を備えることを特徴とする電子機器。
【請求項２】
前記移動部材は、前記電子機器の操作時に、使用者が前記開口部を塞ぎ、外気の取り込みが困難になるのを防止するように、前記開口部と対向する前記第１の位置に配置される
ことを特徴とする請求項１に記載の電子機器。
【請求項３】
前記電子機器はカメラであり、
前記移動部材は、鏡筒を保護するように、前記鏡筒の前に位置する前記第２の位置と、撮影のために前記鏡筒の前面を開放する前記第１の位置との間でスライドされるスライドカバーである
ことを特徴とする請求項２に記載の電子機器。
【請求項４】
前記移動部材は、前記電子機器の消費電力が大きいとき、前記開口部からの外気の取り込みが可能となるように、前記開口部から離れる前記第２の位置に配置され、前記電子機器の消費電力が小さいとき、前記開口部において埃の堆積を防止するように、前記第１の位置に配置される
ことを特徴とする請求項１に記載の電子機器。
【請求項５】
前記移動部材は、電源をオフさせる前記第１の位置と、電源をオンさせる前記第２の位置との間で移動される電源スイッチである
ことを特徴とする請求項４に記載の電子機器。
【請求項６】
前記電子機器はカメラであり、
前記移動部材は、前記カメラを再生の状態とする前記第１の位置と、前記カメラを撮影の状態とする前記第２の位置との間で移動される切替スイッチである
ことを特徴とする請求項４に記載の電子機器。
【請求項７】
前記移動部材は、非使用時の位置である前記第１の位置と、使用時の位置である前記第２の位置との間で回動自在な回動部材であり、前記第１の位置において前記開口部に当接する弾性部材を有する
ことを特徴とする請求項１に記載の電子機器。
【発明の詳細な説明】
【０００１】
【発明の属する技術分野】
本発明は、電子機器に関し、特に、燃料電池に空気を確実に提供できるようにした電子機器に関する。
【０００２】
【従来の技術】
携帯電話機をはじめとする携帯型の電子機器の小型化や高機能化にともない、電源となる電池には一層の小型化と大容量化が求められている。そこで、現在よく使われているリチウムイオン電池などと比べてエネルギ密度が高い小型の燃料電池が開発され、実用化されつつある。
【０００３】
【発明が解決しようとする課題】
こうした燃料電池は、発電に利用する酸素を大気中から取り込む。したがって、燃料電池を使用する電子機器は、発電を継続するために、燃料電池への外気の供給を維持する必要がある。
【０００４】
そこで、燃料電池に外気を供給するために、外観部材（ケース）に通気口となる開口部を設けることが考えられる。
【０００５】
しかしながら、携帯型の電子機器として、例えば、カメラを想定した場合、カメラは、ユーザにより手で所持されるため、開口部が握った手で塞がれてしまい、特に電力の供給が必要とされる使用時において、燃料電池に空気を充分に供給することができなくなってしまう課題があった。
【０００６】
また、カメラのケースに開口部を設けた場合、開口部に埃が堆積してしまい、外観上望ましくないという課題があった。
【０００７】
本発明はこのような状況に鑑みてなされたものであり、使用時に握った手で開口部が塞がれてしまうのを防止できるようにし、また、開口部に埃が堆積してしまうことを防止できるようにするものである。
【０００８】
【課題を解決するための手段】
本発明の電子機器は、燃料電池に供給する外気を取り込む開口部と、開口部と対向する第１の位置と、開口部から離れる第２の位置との間で移動する移動部材とを備えることを特徴とする。
【０００９】
前記移動部材は、電子機器の操作時に、使用者が開口部を塞ぎ、外気の取り込みが困難になるのを防止するように、開口部と対向する第１の位置に配置するようにすることができる。
【００１０】
前記電子機器はカメラであり、移動部材は、鏡筒を保護するように、鏡筒の前に位置する第２の位置と、撮影のために鏡筒の前面を開放する第１の位置との間でスライドされるスライドカバーとすることができる。
【００１１】
前記移動部材は、電子機器の消費電力が大きいとき、開口部からの外気の取り込みが可能となるように、開口部から離れる第２の位置に配置され、電子機器の消費電力が小さいとき、開口部において埃の堆積を防止するように、第１の位置に配置するようにすることができる。
【００１２】
前記移動部材は、電源をオフさせる第１の位置と、電源をオンさせる第２の位置との間で移動される電源スイッチとすることができる。
【００１３】
前記電子機器はカメラであり、移動部材は、カメラを再生の状態とする第１の位置と、カメラを撮影の状態とする第２の位置との間で移動される切替スイッチとすることができる。
【００１４】
前記移動部材は、非使用時の位置である第１の位置と、使用時の位置である第２の位置との間で回動自在な回動部材とすることができ、第１の位置において開口部に当接する弾性部材を有するようにすることができる。
【００１５】
本発明においては、開口部と対向する第１の位置と、開口部から離れる第２の位置との間で移動する移動部材が設けられる。
【００１６】
【発明の実施の形態】
図１乃至図５は、本発明を適用したデジタルカメラの第１の実施の形態を表している。このデジタルカメラ１は、スライドカバー９を有するデジタルカメラとされ、図１は、スライドカバー９が閉じた状態で、電源がオフの状態の正面図を表し、図２は、スライドカバー９が開いた状態で、電源がオンの状態の正面図を表している。
【００１７】
図１に示されるように、非使用時、移動部材としてのスライドカバー９は、デジタルカメラ１（鏡筒１１）の前方に配置され、鏡筒１１とファインダ１０を露出させず保護している。使用者は、デジタルカメラ１の使用時に、スライドカバー９を図１において左方向にスライドし、図２に示されるように、鏡筒１１とファインダ１０が露出した状態にし、デジタルカメラ１を使用状態にする。
【００１８】
鏡筒１１は、撮影に使用する撮影レンズ１２を内部に保持している。シャッタボタン４は、デジタルカメラ１の上端部で、図２の左上に配置されている。使用者は、鏡筒１１の上に配置されているファインダ１０を覗き、被写体（図示せず）を確認し、所定のタイミングでシャッタボタン４を押し、被写体の撮影を行う。図２において、鏡筒１１の右上に配置されているフラッシュ８は、光量の不足時に閃光を放ち、被写体を照明する。
【００１９】
筐体２の内部の、図１において、鏡筒１１の左側の図中の２点鎖線で示される位置であって、グリップ部（デジタルカメラ１を手で支える部分）３の前面側（図３の左上）には電池室６が形成されている。筐体２の電池室６の近傍であって、筐体２の正面には、電池室６とデジタルカメラ１の外部との通気を可能とする空気穴７が設けられている。
【００２０】
空気穴７は、電池室６に外気を供給する。空気穴７は、図２に示されるように、スライドカバー９が開放されているとき、スライドカバー９により覆われる。したがって、撮影時に使用者が、不用意に空気穴７を指で塞いでしまうようなことが防止される。この状態においても、図３に示されるように、スライドカバー９と筐体２の間には、隙間２４が形成されているので、この隙間２４を介して空気穴７から電池室６に空気が供給される。電池蓋５は、電池室６の燃料電池１７のメンテナンス時や交換時に開閉される。
【００２１】
図３は、図２のＡ−Ａ線断面図であり、スライドカバー９が開放されているときの状態を示している。スライドカバー９は、裏側で筐体２との間に隙間２４を確保しているので、空気穴７を介しての通気は可能である。空気穴７の電池室６側には、通気性と撥水性とを併せ持つ撥水シート１６が貼られていて、空気は通過させるが、水や埃がデジタルカメラ１内に入らないようにしてある。電池室６には燃料電池１７が収容され、燃料電池１７は、発電に必要な外気を、空気穴７より取り込む。
【００２２】
鏡筒１１の内部に配置されているシャッタユニット１５は、撮影レンズ１２を介して入射される被写体からの光の、撮像素子２３への供給を制御する。鏡筒１１の後方に配置された撮像素子２３は、被写体からの光信号を電気信号に変換しデジタル画像にする。
【００２３】
図３において、鏡筒１１の右側に配置されたコンデンサ１３は、フラッシュ８に供給する電力を蓄え、その下側に配置されているフラッシュ回路基板１４は、フラッシュ８の動作制御を行う。デジタルカメラ１の後方（図３の下方向）に配置されている実装基板２０には、デジタルカメラ１を制御する各種回路が組み込まれている。
【００２４】
使用者は、デジタルカメラ１の後方の筐体２に形成されたＬＣＤ（Ｌｉｑｕｉｄ  Ｃｒｙｓｔａｌ  Ｄｉｓｐｌａｙ）窓２２を覗き、その内側に配置されているＬＣＤ２１により表示される被写体の確認を行う。また、ＬＣＤ２１には、撮影し、メモリーカード１９に保存した画像の表示を行うことができる。メモリーカード１９は、筐体２の図３の左側面に形成されたメモリーカードスロット蓋１８を開閉して着脱される。
【００２５】
図４は、スライドカバー９のスライドに連動して、デジタルカメラ１の電源を、オンまたはオフするための構成を表している。スライドカバー９は、スライドカバーレール溝２５にガイドされ、スライドされる。電源スイッチ２８は、筐体２の内部で図４の左上のスライドカバーレール溝２５の下側に配置されている。
【００２６】
電源スイッチ２８の上部には、回動自在な作動部２７が形成され、作動部２７は、内部のバネ（図示せず）の付勢力によりスライドカバーレール溝２５の切欠部分２６より図中上に突出している。
【００２７】
使用者がスライドカバー９を、図１に示される状態から図２に示される状態になるように、図４において、スライドカバー９を左方向に移動すると、スライドカバー９の上端部分が作動部２７と当接し、それを下に押し込むことにより、電源スイッチ２８がオン、すなわち、デジタルカメラ１の電源がオンとなる。
【００２８】
また、使用者が、スライドカバー９を右方向に移動し、図２に示される状態から図１に示される状態に戻すと、作動部２７がバネの付勢力により切欠部分２６から上方向に突出する状態に戻ることにより、電源スイッチ２８がオフ、すなわち、デジタルカメラ１の電源がオフとなる。
【００２９】
このようにして、使用者がスライドカバー９を開くと、デジタルカメラ１の電源がオンとなり、使用者がスライドカバー９を閉じると、デジタルカメラ１の電源がオフとなる。
【００３０】
図５は、図４のＢ−Ｂ線断面図であり、電源スイッチ２８がスライドカバー９によりオンオフされる様子をより詳細に示している。図５は、スライドカバー９のレール部３１が、電源スイッチ２８の作動部２７に当接し、作動部２７を下向きに押し込んでいる状態を示している。上述したように、この状態において、デジタルカメラ１の電源はオンとなる。
【００３１】
図５に示される状態において、空気穴７はスライドカバー９により覆われるが、隙間２４を介して空気穴７から電池室６に空気が供給され、したがって、燃料電池１７が空気（酸素）不足となって、供給電圧が低下してしまうようなことが抑制される。
【００３２】
図５の上部に配置されている実装基板３０には、デジタルカメラ１を制御する各種回路が組み込まれている。そのうちの１つの、実装基板３０の上に配置されているシャッタレリーズ用スイッチ２９は、シャッタボタン４が押されたことを検知し、シャッタを作動させる。
【００３３】
本実施の形態によれば、スライドカバー９が開いた時に、スライドカバー９により覆われる位置に空気穴７が配置されているので、使用者が、グリップ部３を手で持った場合にも、空気穴７が指で塞がれてしまうことを抑制することができる。
【００３４】
図６乃至図１２は、本発明を適用したデジタルカメラの第２の実施の形態を表している。このデジタルカメラは４１は、電源スイッチレバー４６を有するデジタルカメラとされ、図６は、デジタルカメラ４１の上面図を表し、図７は、デジタルカメラ４１の正面図を表している。
【００３５】
移動部材としての電源スイッチレバー４６は、図６において、右方向にスライドすることで、デジタルカメラ４１の電源をオンの状態にし、左方向にスライドすることで、デジタルカメラ４１の電源をオフの状態にする。
【００３６】
鏡筒５１は、撮影に使用する撮影レンズ５２を内部に保持している。シャッタボタン４３は、デジタルカメラ４１の上端部で、図７の左上に配置されている。使用者は、鏡筒５１の上に配置されているファインダ４７を覗き、被写体（図示せず）を確認し、所定のタイミングでシャッタボタン４３を押し、被写体の撮影を行う。図７において、鏡筒５１の右上に配置されているフラッシュ４８は、光量の不足時に閃光を放ち、被写体を照明する。
【００３７】
筐体４２の内部の、図７において、鏡筒５１の左側の図中の２点鎖線で示される位置には、電池室４４が形成されている。筐体４２の電池室４４の近傍であって、筐体４２の正面には、電池室４４とデジタルカメラ４１の外部との通気を可能とする空気穴４９が設けられている。
【００３８】
空気穴４９の最下段のさらに下にはデザイン上の凹部５０が形成されている。すなわち、この凹部５０は、凹んでいるだけで、筐体４２の内部には貫通していない。電池蓋４５は、電池室４４の燃料電池５５（図１０の中央部）のメンテナンス時や交換時に開閉される。
【００３９】
図８および図９は、デジタルカメラ４１の電源スイッチレバー４６付近を拡大して示している。図８は電源がオフの状態を示し、図９は電源がオンの状態を示している。図９において、２点鎖線は電源がオフの状態の電源スイッチレバー４６の位置を示す。
【００４０】
筐体４２の上端面であって、電源スイッチレバー４６がスライドする面には、電池室４４と連通する空気穴５３が形成されている。空気穴５３は、電源スイッチレバー４６がオフの状態（図８に示される状態）の位置の時に覆われ、電源スイッチレバー４６がオンの状態（図９に示される状態）の位置のときに現れる（露出する）。
【００４１】
すなわち、電源がオンのとき（デジタルカメラ４１の使用時）は、電源がオフのとき（デジタルカメラ４１の非使用時）よりも電力消費が多いため、空気穴５３は、電源スイッチレバー４６がオンの状態の位置のときに現れる。これにより、電池室４４には、空気穴４９を介して供給される空気に加えて、空気穴５３を介して空気が供給される。すなわち、その分だけ、供給される空気の量が増加する。
【００４２】
また、空気穴５３は、電源スイッチレバー４６がオフの状態の位置のときに覆われ、埃の堆積（内部への侵入）を防いでいる。
【００４３】
図１０は、図７のＣ−Ｃ線断面図を示し、空気穴５３付近の構成を拡大して示している。電池室４４には燃料電池５５が配置され、燃料電池５５は、空気穴４９、および空気穴５３により外部と連通している。電源スイッチレバー４６がオンの状態の位置のとき、電源スイッチレバー４６がオフの状態の位置のときに覆われていた空気穴５３が現れ、空気穴５３は、電池室４４を外部の空間と連通する。
【００４４】
空気穴５３の電池室４４側には、通気性と撥水性とを併せ持つ撥水シート５６が貼られていて、空気は通過させるが、水や埃が電池室４４内に入らないようにしてある。同様に、空気穴４９には、撥水シート５７が貼られている。
【００４５】
シャッタボタン４３の下のレリーズ用スイッチ５４は、シャッタボタン４３が押されたことを検知し、シャッタを作動させる。筐体４２の下端面には、三脚を取り付けるための三脚座５８が形成されている。
【００４６】
図１１は図８のＤ−Ｄ線断面図を示し、図１２は図９のＥ−Ｅ線断面図を示している。すなわち、図１１は、電源スイッチレバー４６がオフの状態の位置を示し、図１２は、オンの状態の位置を示している。
【００４７】
これらの図に示されるように、電源スイッチレバー４６の下側には、クリックばね６０が取り付けられ、電源スイッチレバー４６に連動して移動する。クリックばね６０の折り曲げ部６１は、筐体４２の内側の窪み６３または６４に嵌合し、電源スイッチレバー４６をオン（図１２の窪み６４の位置）とオフ（図１１の窪み６３の位置）の状態の位置に保持する。
【００４８】
ブラシ５９は、クリックばね６０の下に取り付けられ、クリックばね６０（電源スイッチレバー４６）に連動して移動し、電源スイッチレバー４６がオンの状態の位置で、ＦＰＣ（ｆｌｅｘｉｂｌｅ  ｐｒｉｎｔｅｄ  ｃｉｒｃｕｉｔ）６２に形成された接点（図示せず）を通電させることにより電源をオンにさせる。
【００４９】
本実施の形態によれば、空気穴５３は、電源スイッチレバー４６がオンの状態の位置にあるときに現れ、オフの状態の位置にあるときに覆われることにより、電力消費の大きい電源がオンのときに空気穴４９から供給される空気を補い、また、電力消費が小さいとき、または、電力消費がない電源がオフのときに埃の堆積を防止することができる。
【００５０】
図１３は、本発明を適用した第３の実施の形態のデジタルカメラ７１の上部の拡大図を示している。このデジタルカメラ７１の基本的な構成は、第２の実施の形態のデジタルカメラ４１と同様であり、移動部材としての撮影／再生切替レバー７３は、図９における電源スイッチレバー４６に相当し、空気穴７２は、図９における空気穴５３に相当するものであり、同様に機能する。したがって、本実施の形態のデジタルカメラ７１においては、不図示の電源スイッチが別設されている。
【００５１】
本実施の形態によれば、空気穴７２は、デジタルカメラの撮影／再生切替レバー７３が、被写体を撮影する状態の位置にあるときに現れ、メモリーカード（図示せず）に記憶された画像を再生する状態の位置にあるときに覆われることによって、電力消費の大きい撮影の状態のときに他の空気穴（図示せず）を補い、電池室（図示せず）への通気を可能とし、また、電力消費の小さい再生の状態のときに埃の堆積を防止することができる。
【００５２】
図１４乃至図１６は、本発明を適用したデジタルカメラの第４の実施の形態を表している。このデジタルカメラ８１は、液晶モニタ８４を有するデジタルカメラとされ、図１４および図１５は、デジタルカメラ８１の背面図を示し、図１４は、液晶モニタ８４の非使用時の状態を示し、図１５は、液晶モニタ８４の使用時の状態を示している。
【００５３】
移動部材としての液晶モニタ８４は、デジタルカメラ８１の背面に配置され、筐体８８の左端部に回動自在に支持されている。液晶モニタ８４が、図１４に示されるように配置されている（閉じられている）状態において、使用者は、液晶モニタ８４左上のファインダ８６を覗き、被写体（図示せず）を確認し、所定のタイミングでデジタルカメラ８１の右上にあるシャッタボタン８７を押し、被写体の撮影を行う。
【００５４】
液晶モニタ８４の内側の筐体８８の面８２において、左上にある液晶モニタ開閉検出スイッチ９１（図１５）は、閉じだ状態の液晶モニタ８４に押圧されオン（オフでもよい）している。このとき、液晶モニタ８４への電力の供給は遮断される。これに対して、液晶モニタ開閉検出スイッチ９１は、図１５に示されるように、液晶モニタ８４が回動し、開いた状態にあるとき、液晶モニタ８４に対して電力を供給し、各種の表示が可能な状態にする。
【００５５】
閉じられた状態の液晶モニタ８４が対向する筐体８８の面８２の右側には空気穴９２が形成されている。この空気穴９２は、液晶モニタ８４を閉じているとき、液晶モニタ８４に覆われ（露出せず）、液晶モニタ８４を開いているときに現れる（露出する）。筐体８８の内部の、デジタルカメラ８１の背面の右側の図中の２点鎖線に示され位置には電池室８３が形成されている。空気穴９２は、電池室８３を外部の空間と連通する。
【００５６】
液晶モニタ８４は、図１６に示されるようにロック部材９３が液晶モニタ８４の孔９５に嵌合されることで、図１４または図１６に示される、閉じた状態に係止される。これにより、非使用時に液晶モニタ８４が不用意に開いてしまうことが防止されている。
【００５７】
図１５に示されるように、液晶モニタ８４が開かれた状態において、液晶モニタ８４の裏側に配置されているＬＣＤ９０は、撮影をする被写体を表示したり、または、撮影し、メモリーカード（図示せず）に保存した画像を表示する。ＬＣＤ９０の左側に設置されたゴム８９は、液晶モニタ８４を閉じたときに空気穴９２を覆う（図１６）。
【００５８】
使用者は、液晶モニタ８４を、図１５に示されるように開いた状態にするとき、ロック解除レバー８５を図中右方向にスライドさせ、ロック部材９３の孔９５に対する係止を解除させる。また、逆に、液晶モニタ８４を、図１５に示されるように閉じた状態にするとき、使用者に、ロック解除レバー８５を、図中左方向にスライドさせて、ロック部材９３を、孔９５に係止させる。
【００５９】
筐体８８の内側に形成された電池室８３には燃料電池９６が配置され、燃料電池９６には、空気穴９２から外部の空気が供給される。液晶モニタ８４を閉じると、ＬＣＤ９０の図１６において右側に位置するゴム８９は、空気穴９２に当接し、空気穴９２のある面と密着するので、液晶モニタ８４の非使用時の防塵性を高めることができる。
【００６０】
空気穴９２の電池室８３側には、通気性と撥水性とを併せ持つ撥水シート９４が貼られていて、空気は通過させるが、水や埃が電池室８３内に入らないようにしてある。本実施の形態では、液晶モニタ８４の非使用時には、デジタルカメラ８１の電池室８３の底面の空気穴（図示せず）が電池室８３に外気を供給する。
【００６１】
本実施の形態によれば、空気穴９２は、電力消費の大きい液晶モニタ８４の使用時に他の空気穴（図示せず）から供給される空気を補い、電池室８３へ供給することができ、また、電力消費の小さい液晶モニタ８４の非使用時に、液晶モニタ８４が空気穴９２を塞ぐことによって、埃の堆積を防止することができる。
【００６２】
なお、本実施の形態のデジタルカメラ８１では、ファインダ８６があるため液晶モニタ開閉検出スイッチ９１を液晶モニタ８４への電源供給スイッチとして使用しているが、ファインダ８６が設けられておらず、液晶モニタ８４のＬＣＤ９０の表示画像を見ながら撮影をするカメラにおいては、液晶モニタ開閉検出スイッチ９１を電源スイッチとすることができる。
【００６３】
以上、本発明を、デジタルカメラに適用した場合を例として説明したが、本発明は、フィルムを使用するカメラ、その他の表示機器に適用することが可能である。
【００６４】
【発明の効果】
以上のように本発明の電子機器によれば、燃料電池の空気を供給するための開口部を使用者が手で塞ぐことを防止し、開口部に埃が堆積することを防止することが可能となる。
【図面の簡単な説明】
【図１】本発明を適用したデジタルカメラの第１の実施の形態の、スライドカバーを閉じた状態の正面図である。
【図２】本発明を適用したデジタルカメラの第１の実施の形態の、スライドカバーを開いた状態の正面図である。
【図３】図２のＡ−Ａ線断面図である。
【図４】図２のシャッタボタン前方のスライドカバーレール溝の部分を拡大して示す部分断面図である。
【図５】図４のＢ−Ｂ線断面図である。
【図６】本発明を適用したデジタルカメラの第２の実施の形態の上面図である。
【図７】本発明を適用したデジタルカメラの第２の実施の形態の正面図である。
【図８】電源オフ時の図６の電源スイッチレバー付近を拡大して示す平面図である。
【図９】電源オン時の図６の電源スイッチレバー付近を拡大して示す平面図である。
【図１０】図７のＣ−Ｃ線断面図である。
【図１１】図８のＤ−Ｄ線断面図である。
【図１２】図９のＥ−Ｅ線断面図である。
【図１３】本発明を適用したデジタルカメラの第３の実施の形態の、上部を拡大して示す平面図である。
【図１４】本発明を適用したデジタルカメラの第４の実施の形態の、液晶モニタがオフの状態の背面図である。
【図１５】本発明を適用したデジタルカメラの第４の実施の形態の、液晶モニタがオンの状態の背面図である。
【図１６】図１４のＦ−Ｆ線断面図である。
【符号の説明】
１  デジタルカメラ
６  電池室
７  空気穴
９  スライドカバー
１６  撥水シート
１７  燃料電池
４１  デジタルカメラ
４４  電池室
４６  電源スイッチレバー
４９，５３  空気穴
５５  燃料電池
５６，５７  撥水シート
７１  デジタルカメラ
７２  空気穴
７３  撮影／再生切替レバー
８１  デジタルカメラ
８３  電池室
８４  液晶モニタ
８９  ゴム
９２  空気穴
９４  撥水シート
９６  燃料電池
【図１】
2004214127.tif 000003
【図２】
2004214127.tif 000004
【図３】
2004214127.tif 000005
【図４】
2004214127.tif 000006
【図５】
2004214127.tif 000007
【図６】
2004214127.tif 000008
【図７】
2004214127.tif 000009
【図８】
2004214127.tif 000010
【図９】
2004214127.tif 000011
【図１０】
2004214127.tif 000012
【図１１】
2004214127.tif 000013
【図１２】
2004214127.tif 000014
【図１３】
2004214127.tif 000015
【図１４】
2004214127.tif 000016
【図１５】
2004214127.tif 000017
【図１６】
2004214127.tif 000018